(57)【特許請求の範囲】
【請求項１】
移動通信デバイスであって、
第１の周波数帯上の第１の無線技術の送信機と、
第２の周波数帯上の第２の無線技術の送受信機と、
前記送信機からの送信が前記送受信機による受信と干渉するか又は干渉する可能性があるか否かを判断する干渉判断手段であって、
前記送受信機は、前記第２の無線技術のネットワーク基地局に対して、該移動通信デバイス内の前記第２の周波数帯における受信との干渉があるか、又は干渉が生じる可能性があるという干渉表示信号を送信するように構成される、干渉判断手段と、
所定の期間を刻時し、前記送受信機によって前記干渉表示信号が送信されるたびに設定されるタイマーと、を備え、
前記所定の期間が満了するまで、該移動通信デバイスから更なる干渉表示信号は送信されない、移動通信デバイス。
【請求項２】
前記干渉判断手段は、測定された干渉レベルが所定のしきい値よりも高いか又は低いかに基づいて、干渉があるか否かを判断する、請求項１に記載の移動通信デバイス。
【請求項３】
前記干渉判断手段は、前記送信機によって提案された送信が前記送受信機による受信と干渉する可能性が高いか否かに基づいて、干渉があるか否かを判断する、請求項１又は２に記載の移動通信デバイス。
【請求項４】
前記干渉判断手段が、前記送信機からの送信と前記送受信機による受信との間に干渉があるか、又は干渉が生じる可能性があると判断する場合には、前記所定の期間の終了時に前記干渉表示信号が再送される、請求項１〜３のいずれか一項に記載の移動通信デバイス。
【請求項５】
前記干渉判断手段が、前記送信機からの送信と前記送受信機による受信との間に干渉があるか、又は干渉が生じる可能性があると判断する限り、前記干渉表示信号は、前記所定の期間によって決定される定期的な間隔で送信される、請求項４に記載の移動通信デバイス。
【請求項６】
前記干渉判断手段が、前記送信機からの送信と前記受信機上の受信との間に干渉がないか、又は干渉が生じる可能性がないと判断する場合には、前記所定の期間の終了時に無干渉表示信号が送信され、前記送受信機によって前記無干渉信号が送信されるたびに、前記タイマーが設定される、請求項１〜５のいずれか一項に記載の移動通信デバイス。
【請求項７】
前記干渉判断手段が、前記送信機からの送信と前記受信機上の受信との間に干渉がないか、又は干渉が生じる可能性がないと判断する場合には、前記所定の期間の終了時に無干渉表示信号が再び送信される、請求項６に記載の移動通信デバイス。
【請求項８】
前記干渉判断手段が、前記送信機からの送信と前記送受信機による受信との間に干渉がないか、又は干渉が生じる可能性がないと判断する限り、前記無干渉表示信号は、前記所定の期間によって決定される定期的な間隔で送信される、請求項７に記載の移動通信デバイス。
【請求項９】
前記干渉表示信号は一度だけ送信され、前記所定の期間が満了した場合において、前記干渉判断手段が、前記送信機からの送信と前記受信機上の受信との間に干渉がないか、又は干渉が生じる可能性がないと判断する場合には、無干渉表示信号が送信され、前記送受信機によって前記無干渉信号が送信されるたびにタイマーが設定される、請求項１〜３のいずれか一項に記載の移動通信デバイス。
【請求項１０】
前記無干渉表示信号は一度しか送信されない、請求項６又は９に記載の移動通信デバイス。
【請求項１１】
移動通信デバイスであって、
第１の周波数帯上の第１の無線技術の送信機と、
第２の周波数帯上の第２の無線技術の送受信機と、
前記送信機からの送信が前記送受信機による受信と干渉するか又は干渉する可能性があるか否かを判断する干渉判断手段と、
前記干渉判断手段が、前記送信機からの送信が或るセル及び／又は或る周波数からの通信の、前記送受信機による受信と干渉するか又は干渉する可能性があると判断するか否かに応じて、該移動通信デバイスが通信するための前記第２の無線技術の複数のセル及び／又は周波数から、前記セル及び／又は前記周波数を除外する手段と、を備え、
前記干渉判断手段は、前記送信機によって提案された送信が前記送受信機による受信と干渉する可能性が高いか否かに基づいて、干渉があるか否かを判断する、移動通信デバイス。
【請求項１２】
前記干渉判断手段は、測定された干渉レベルが所定のしきい値よりも高いか又は低いかに基づいて、干渉があるか否かを判断する、請求項１１に記載の移動通信デバイス。
【請求項１３】
セル及び／又は周波数を除外する前記手段は、前記干渉判断手段が、前記送信機からの前記送信と干渉しないと判断する通信のために利用可能な周波数に従って、起こり得る通信からセル及び／又は周波数を除外する、請求項１１及び１２のいずれか一項に記載の移動通信デバイス。
【請求項１４】
セル及び／又は周波数を除外する前記手段は、前記干渉判断手段が、前記送信機からの送信が或るセル及び／又は或る周波数からの信号の、前記送受信機による受信と干渉するか、又は干渉する可能性があると判断するのに基づいて、干渉表示信号が前記送受信機によって以前に送信されていた場合には、前記複数の取り得るセル及び／又は周波数から前記セル及び／又は前記周波数を除外する、請求項１３に記載の移動通信デバイス。
【請求項１５】
請求項１４に記載の移動通信デバイスであって、
所定の時間を刻時し、前記干渉表示信号が前記送受信機によって送信されるたびに設定されるタイマーを更に備え、セル及び／又は周波数を除外する前記手段は、前記タイマーが満了していない場合には、前記複数の取り得るセル及び／又は周波数からセル及び／又は周波数を除外する、移動通信デバイス。
【請求項１６】
前記複数の取り得るセル及び／又は周波数からセル及び／又は周波数の選択／再選択を実行するための選択／再選択モジュールを更に備える、請求項１１〜１５のいずれか一項に記載の移動通信デバイス。
【請求項１７】
移動通信デバイスであって、
第１の周波数帯上の第１の無線技術の送信機と、
第２の周波数帯上の第２の無線技術の送受信機と、
前記送信機からの送信が前記送受信機による受信と干渉するか又は干渉する可能性があるか否かを判断するための干渉判断手段と、を備え、
前記送受信機は、前記干渉判断手段が、前記移動通信デバイス内の前記第２の周波数帯における受信との干渉があるか、又は干渉が生じる可能性があると判断する場合には、前記第２の無線技術のネットワーク基地局に対する干渉表示信号を送信するように構成され、前記干渉判断手段が、前記送信機からの送信と前記受信機上の受信との間に干渉がないか、又は生じる可能性がないと判断する場合には、無干渉表示信号を送信するように構成される、移動通信デバイス。
【請求項１８】
通信システムであって、
請求項１〜１０又は１７のいずれか一項に記載の移動通信デバイスと、
前記移動通信デバイスと通信する前記第２の無線技術の基地局と、を備え、
前記基地局は、前記移動通信デバイスによって送信された前記干渉表示信号を受信するための受信機と、前記干渉を軽減するために、前記移動通信デバイスとの前記通信の１つ又は複数のパラメーターを変更する干渉軽減手段と、を備える、通信システム。
【請求項１９】
前記基地局は所定の期間を刻時するタイマーを含み、前記干渉軽減手段は、前記タイマーが満了するときに、変更された前記１つ又は複数のパラメーターを以前のパラメーターに戻す、請求項１８に記載の通信システム。
【請求項２０】
前記受信機は、前記移動通信デバイスによって送信された無干渉表示信号を受信するように構成され、前記干渉軽減手段は、前記受信機が前記無干渉表示信号を受信するときに、変更された前記１つ又は複数のパラメーターを以前のパラメーターに戻す、請求項１８又は１９に記載の通信システム。
【請求項２１】
プログラマブルコンピューターデバイスに、請求項１〜１７のいずれか一項に記載の移動通信デバイスとして機能させるためのコンピューター実施可能命令を含む、コンピュータープログラム。
【発明の詳細な説明】
【技術分野】
【０００１】
本発明は、移動電気通信デバイス及びネットワークに関し、特に、排他的（専用）ではないが、３ＧＰＰ標準規格又はその均等物若しくは派生物に従って動作する移動電気通信デバイスネットワークに関する。本発明は、特に、排他的（専用）ではないが、ＵＴＲＡＮのロングタームエボリューション（ＬＴＥ）（発展型ユニバーサル地上無線アクセスネットワーク（Ｅ−ＵＴＲＡＮ）と呼ばれる）、並びにＢｌｕｅｔｏｏｔｈ（登録商標）、Ｗｉ−Ｆｉ、及び全地球測位システム（ＧＰＳ）等の他の無線技術とのＥ−ＵＴＲＡＮのインタラクションに関連する。
【０００２】
本出願は、２０１１年４月４日に出願された英国特許出願第１１０５６９３．４号に基づくとともにこの特許出願からの優先権の利益を主張する。この特許出願の開示は引用することによりその全体が本明細書の一部をなすものとする。
【背景技術】
【０００３】
移動通信デバイス又はユーザー機器（ＵＥ）は多くの場合に幾つかの異なる無線技術を含み、それにより、ＵＥは異なるフォーマットを用いて種々の他のデバイス又は基地局と接続又は通信できるようになるが、それらのフォーマットは、他の周波数を使用する場合もあれば、他の周波数を使用しない場合もある。したがって、例えば、ＵＥはＢｌｕｅｔｏｏｔｈ接続、Ｗｉ−Ｆｉ接続、ＧＰＳ接続、及びＬＴＥ接続を含む場合がある。多くの場合に、これらの無線技術のうちの幾つか又は全てが同時に動作することになるので、結果として、ＵＥはこれらのシステムのうちの幾つかに同時に接続される（デバイス内共存としても知られている）。周波数によっては、１つの無線技術上でのＵＥ送信が他の無線技術の受信機に対して干渉を引き起こす場合があることは理解されよう。この問題は、或る特定のＬＴＥ周波数帯において特に深刻である場合があり、それらの周波数帯のうちの幾つかが、Ｗｉ−Ｆｉチャネル及びＢｌｕｅｔｏｏｔｈチャネルが位置する工業科学医療（ＩＳＭ）周波数帯に隣接して存在する。
【０００４】
このデバイス内共存干渉の問題は、例えば、http://www.3gpp.org /ftp/specs/archive /36_series/36.816/36816-100.zipにおいて入手可能な非特許文献１において検討されてきた。この報告の目的は、同じデバイス内のＬＴＥ及びＧＰＳ／ＩＳＭ無線機が隣接する周波数又は分数調波周波数において動作する共存シナリオを助長にするために、シグナリング及び手順の観点から干渉回避のために適した機構を調査することである。この検討中の作業は、既存の無線リソース管理（ＲＲＭ）機構を用いて、そのようなシナリオとともに生じる共存問題を実効的に解決し、適切なＧＰＳ／ＩＳＭ動作とともに、ＬＴＥにおいて要求されるサービス品質（ＱｏＳ）を提供することができるか否かを評価し、さらに、長年使用されてきたシグナリング及び手順が特定の共存シナリオにおいて要求される性能を確保するには不十分である場合には、改善された機構であれば、干渉をより良好に回避し、ＩＳＭ無線通信によって引き起こされる影響を軽減することになるか否かを評価することである。
【０００５】
この報告では、デバイス内共存干渉が生じる場合がある３つの動作モードが検討された。第１の、協調しないモードでは、ＵＥ内の異なる技術が、互いに内部で協調することなく、独立して動作する。第２のモードでは、共存干渉が生じる場合には、ＵＥがそのような干渉の影響を除去するか、又は少なくとも最小限に抑えるために動作を調整できるように、１つの無線技術が、別の無線技術が何をしているかわかる範囲で、ＵＥ内の異なる無線技術が協調する。第３のモードは、ＵＥ内でだけでなく、ＵＥとネットワークとの間でも協調が行われる場合であり、それにより、ネットワークは、ＵＥが通知したあらゆる共存干渉を最小限に抑えることを試みる措置を講じることができるようになる。その報告において論じられる幾つかの解決策はＵＥ制御であり、ＬＴＥ信号をＩＳＭ帯から離れるように動かすか、又はＩＳＭ信号をＬＴＥ帯から離れるように動かすことを含む。別の解決策では、ＵＥは、干渉が回避されるように、信号を時分割多重化（ＴＤＭ）しようと試みる。他の解決策は、ＵＥ支援による、ＬＴＥネットワーク制御である。後者の解決策では、ＵＥは、干渉問題をネットワーク基地局に通知し、その後、基地局は、軽減技法を適用して、干渉を低減又は回避しようと試みることができる。その軽減は、周波数分割多重化（ＦＤＭ）又はＴＤＭのいずれかを用いて、信号周波数若しくは時間を変更することができるか、又はダウンリンク上の電力を増加させて、干渉を低減若しくは回避しようと試みることができる。それゆえ、ＵＥは、例えば、サービング周波数上で継続中の干渉があるとき、干渉問題があるという信号をネットワークに送信する。これは、反応表示と見なすことができる。しかしながら、ＵＥ支援によるＬＴＥネットワーク制御の解決策が抱える問題は、それらの解決策はＵＥからの表示信号を当てにすることである。より詳細には、それらの解決策は、干渉の測定に基づいてＵＥ内で表示信号がトリガーされることを必要とし、そのような測定は信頼性がない可能性があり、無用な表示信号があまりにも頻繁にネットワークに送信され、それにより、無用にネットワークに負荷をかける可能性がある。
【先行技術文献】
【非特許文献】
【０００６】
【非特許文献１】Technical Report 3GPP TR 36.816 v1.0.0「3rd Generation Partnership Project; Technical Specification Group Radio Access Networks; Evolved Universal Terrestrial Radio Access (E-UTRA); Study on signalling and procedure for interference avoidance for in-device coexistence; (Release 10)」
【発明の概要】
【発明が解決しようとする課題】
【０００７】
本発明の実施の形態は、ネットワークが干渉軽減措置を講じることができるように、適切で、かつ釣り合いのとれた表示をネットワークに与えるための技法を提供することを目的とする。
【課題を解決するための手段】
【０００８】
一態様によれば、本発明は、移動通信デバイスであって、
第１の周波数帯上の第１の無線技術の送信機と、
第２の周波数帯上の第２の無線技術の送受信機と、
前記送信機からの送信が前記送受信機による受信と干渉するか又は干渉する可能性があるか否かを判断する干渉判断手段であって、
前記送受信機は、前記第２の無線技術のネットワーク基地局に対して、該移動通信デバイス内の前記第２の周波数帯における受信との干渉があるか、又は干渉が生じる可能性があるという干渉表示信号を送信するように構成される、干渉判断手段と、
所定の期間を刻時し、前記送受信機によって前記干渉表示信号が送信されるたびに設定されるタイマーと、を備え、
前記所定の期間が満了するまで、該移動通信デバイスから更なる干渉表示信号は送信されない、移動通信デバイスを提供する。
【０００９】
一実施の形態では、前記干渉判断手段は、測定された干渉レベルが所定のしきい値よりも高いか又は低いかに基づいて、干渉があるか否かを判断する。
【００１０】
前記干渉判断手段は、前記送信機によって提案された送信が前記送受信機による受信と干渉する可能性が高いか否かに基づいて、干渉があるか否かを判断することができる。
【００１１】
一実施の形態では、前記干渉判断手段が、前記送信機からの送信と前記送受信機による受信との間に干渉があるか、又は干渉が生じる可能性があると判断する場合には、前記所定の期間の終了時に前記干渉表示信号が再送される。
【００１２】
前記干渉判断手段が、前記送信機からの送信と前記送受信機による受信との間に干渉があるか、又は干渉が生じる可能性があると判断する限り、前記干渉表示信号は、前記所定の期間によって決定される定期的な間隔で送信することができる。
【００１３】
前記干渉判断手段が、前記送信機からの送信と前記受信機上の受信との間に干渉がないか、又は干渉が生じる可能性がないと判断する場合には、前記所定の期間の終了時に無干渉表示信号を送信することができ、前記送受信機によって前記無干渉信号が送信されるたびに、前記タイマーが設定される。
【００１４】
一実施の形態では、前記干渉判断手段が、前記送信機からの送信と前記受信機上の受信との間に干渉がないか、又は干渉が生じる可能性がないと判断する場合には、前記所定の期間の終了時に無干渉表示信号が再び送信される。
【００１５】
前記干渉判断手段が、前記送信機からの送信と前記送受信機による受信との間に干渉がないか、又は干渉が生じる可能性がないと判断する限り、前記無干渉表示信号は、前記所定の期間によって決定される定期的な間隔で送信することができる。
【００１６】
一実施の形態では、前記干渉表示信号は一度だけ送信され、前記所定の期間が満了した場合において、前記干渉判断手段が、前記送信機からの送信と前記受信機上の受信との間に干渉がないか、又は干渉が生じる可能性がないと判断する場合には、無干渉表示信号が送信され、前記送受信機によって前記無干渉信号が送信されるたびにタイマーが設定される。
【００１７】
前記無干渉表示信号は一度しか送信されなくてもよい。
【００１８】
第２の態様では、移動通信デバイスであって、
第１の周波数帯上の第１の無線技術の送信機と、
第２の周波数帯上の第２の無線技術の送受信機と、
前記送信機からの送信が前記送受信機による受信と干渉するか又は干渉する可能性があるか否かを判断する干渉判断手段と、
前記干渉判断手段が、前記送信機からの送信が或るセル及び／又は或る周波数からの通信の、前記送受信機による受信と干渉するか又は干渉する可能性があると判断するか否かに応じて、該移動通信デバイスが通信するための前記第２の無線技術の複数のセル及び／又は周波数から、前記セル及び／又は前記周波数を除外する手段と、を備える、移動通信デバイスが提供される。
【００１９】
一実施の形態では、前記干渉判断手段は、測定された干渉レベルが所定のしきい値よりも高いか又は低いかに基づいて、干渉があるか否かを判断する。
【００２０】
前記干渉判断手段は、前記送信機によって提案された送信が前記送受信機による受信と干渉する可能性が高いか否かに基づいて、干渉があるか否かを判断することができる。
【００２１】
セル及び／又は周波数を除外する前記手段は、前記干渉判断手段が、前記送信機からの前記送信と干渉しないと判断する通信のために利用可能な周波数に従って、起こり得る通信からセル及び／又は周波数を除外する。
【００２２】
一実施の形態では、セル及び／又は周波数を除外する前記手段は、前記干渉判断手段が、前記送信機からの送信が或るセル及び／又は或る周波数からの信号の、前記送受信機による受信と干渉するか、又は干渉する可能性があると判断するのに基づいて、干渉表示信号が前記送受信機によって以前に送信されていた場合には、前記複数の取り得るセル及び／又は周波数から前記セル及び／又は前記周波数を除外する。
【００２３】
前記移動通信デバイスは、所定の時間を刻時し、前記干渉表示信号が前記送受信機によって送信されるたびに設定されるタイマーを更に備えることができ、セル及び／又は周波数を除外する前記手段は、前記タイマーが満了していない場合には、前記複数の取り得るセル及び／又は周波数からセル及び／又は周波数を除外する。
【００２４】
一実施の形態では、前記移動通信デバイスは、前記複数の取り得るセル及び／又は周波数からセル及び／又は周波数の選択／再選択を実行するための選択／再選択モジュールを更に備える。
【００２５】
更なる態様によれば、本発明は、移動通信デバイスであって、
第１の周波数帯上の第１の無線技術の送信機と、
第２の周波数帯上の第２の無線技術の送受信機と、
前記送信機からの送信が前記送受信機による受信と干渉するか又は干渉する可能性があるか否かを判断するための干渉判断手段と、を備え、
前記送受信機は、前記干渉判断手段が、前記移動通信デバイス内の前記第２の周波数帯における受信との干渉があるか、又は干渉が生じる可能性があると判断する場合には、前記第２の無線技術のネットワーク基地局に対する干渉表示信号を送信するように構成され、前記干渉判断手段が、前記送信機からの送信と前記受信機上の受信との間に干渉がないか、又は生じる可能性がないと判断する場合には、無干渉表示信号を送信するように構成される、移動通信デバイスを提供する。
【００２６】
更なる態様では、本発明は、通信システムであって、
上述の移動通信デバイスと、
前記移動通信デバイスと通信する前記第２の無線技術の基地局と、を備え、
前記基地局は、前記移動通信デバイスによって送信された前記干渉表示信号を受信するための受信機と、前記干渉を軽減するために、前記移動通信デバイスとの前記通信の１つ又は複数のパラメーターを変更する干渉軽減手段と、を備える、通信システムを提供する。
【００２７】
一実施の形態では、前記基地局は所定の期間を刻時するタイマーを含み、前記干渉軽減手段は、前記タイマーが満了するときに、変更された前記１つ又は複数のパラメーターを以前のパラメーターに戻す。
【００２８】
前記受信機は、前記移動通信デバイスによって送信された無干渉表示信号を受信するように構成することができ、前記干渉軽減手段は、前記受信機が前記無干渉表示信号を受信するときに、変更された前記１つ又は複数のパラメーターを以前のパラメーターに戻す。
【００２９】
本発明のこれらの特徴及び態様並びに他の特徴及び態様は、添付の図面を参照して説明される例示的な実施形態の以下の詳細な説明から明らかとなるであろう。
【図面の簡単な説明】
【００３０】
【図１】実施形態が適用可能なタイプの移動電気通信システムを概略的に示す図である。
【図２】図１に示すシステムの一部分を形成するＥ−ＵＴＲＡＮ基地局を概略的に示す図である。
【図３】図１に示すシステムの一部分を形成する移動電話を概略的に示す図である。
【図４】図１に示されるシステムの一部を形成する移動電話内の干渉表示シグナリングを示す概略図である。
【図５】図１に示されるシステムの一部を形成する移動電話内の干渉表示シグナリングを示す概略図である。
【図６】図１に示されるシステムの一部を形成する移動電話内の干渉表示シグナリングを示す概略図である。
【図７】図１に示されるシステムの一部を形成する移動電話内の干渉表示シグナリングを示す概略図である。
【図８】図１に示されるシステムの一部を形成する移動電話内の干渉表示シグナリングを示す概略図である。
【発明を実施するための形態】
【００３１】
概説
図１は、移動（セルラー）電気通信システム１を概略的に示しており、そのシステムでは、移動電話３のような移動通信デバイスのユーザーが別のデバイス５−１、又は基地局５−２若しくは５−３のうちの１つを介して他のユーザー（図示せず）と通信することができる。図１に示されるシステムにおいて、デバイス５−１はＢｌｕｅｔｏｏｔｈ無線技術を用いて移動電話３と通信するためのＢｌｕｅｔｏｏｔｈデバイスである。基地局５−２はＬＴＥ無線技術を用いて移動デバイス３と通信し、移動デバイス３がそこを通ってコアネットワーク７に接続できるようにするＥ−ＵＴＲＡＮ基地局である。基地局５−３は、移動デバイスがワールドワイドウェブ（インターネット）に接続することができるＷｉ−Ｆｉ基地局である。少なくともＥ−ＵＴＲＡＮ基地局５−２は複数の基地局セルを操作し、その基地局セルはそれぞれ、移動電話３とＥ−ＵＴＲＡＮ基地局５−２との間の無線通信に利用可能な複数のアップリンク通信リソース及びダウンリンク通信リソース（サブキャリア、タイムスロット等）を有する。Ｅ−ＵＴＲＡＮ基地局５−２は、移動電話３に送信されるデータ量に依拠して、移動電話３にダウンリンクリソースを割り当てる。同様に、Ｅ−ＵＴＲＡＮ基地局５−２は、移動電話３がＥ−ＵＴＲＡＮ基地局５−２に送信しなくてはならないデータ量及びデータタイプに依拠して移動電話３にアップリンクリソースを割り当てる。
【００３２】
Ｅ−ＵＴＲＡＮ基地局５−２が、移動電話３が近傍セルの信号測定を行う際に、及び登録先の利用可能な基地局セルを選択／再選択するためのセル選択及び／又は再選択の場合に用いる、ハンドオーバーパラメーター並びにセル選択及び再選択パラメーター並びに規則を送信する。ハンドオーバーパラメーター及び／又はセル選択／再選択パラメーターがＥ−ＵＴＲＡＮ基地局５−２によって変更された場合、Ｅ−ＵＴＲＡＮ基地局５−２によってサービングされている移動電話３は、別のセル内の基地局を選択／再選択するか、又は別のセル内の基地局にハンドオーバーすることができる。
【００３３】
Ｅ−ＵＴＲＡＮ基地局
図２は、この実施形態において用いられるＥ−ＵＴＲＡＮ基地局５−２の主要構成要素を示すブロック図である。示されるように、Ｅ−ＵＴＲＡＮ基地局５−２は、移動電話３に対し１つ又は複数のアンテナ２３を介して信号を送受信するように、かつ電話コアネットワーク７に対しインターフェース２４を介して信号を送受信するように動作可能な送受信機回路２１を備える。コントローラー２７はメモリ２９内に格納されたソフトウェア及びデータに従って送受信機回路２１の動作を制御する。ソフトウェア及びデータは、中でも、オペレーティングシステム３１、ハンドオーバーモジュール３３、並びにハンドオーバーパラメーター及びセル選択／再選択パラメーター３４を含む。ハンドオーバーモジュール３３は、ハンドオーバー及びセル選択／再選択パラメーター３４に基づいて、Ｅ−ＵＴＲＡＮ基地局５−２への、又はＥ−ＵＴＲＡＮ基地局５−２からの移動電話３のハンドオーバーを制御するための役割を担う。後に更に説明されるように、ＵＥ内に存在する場合がある干渉を軽減することを試みる適切な措置を講じるための干渉軽減モジュール３２も設けられる。
【００３４】
上記の説明において、基地局５−２は、理解しやすくするために、複数の別々のモジュール（負荷バランシングモジュール及びハンドオーバーモジュール等）を有するものとして説明される。或る特定の応用例、例えば、本発明を実施するために既存のシステムが変更された場合には、これらのモジュールはこのようにして設けられてもよいが、他の応用例、例えば、最初から本発明の機構を念頭において設計されるシステムでは、これらのモジュールはオペレーティングシステム又はコード全体の中に組み込むことができるので、これらのモジュールは別々の実体として区別可能でない場合もある。
【００３５】
移動電話
図３は、図１に示す各移動電話３の主要構成要素を概略的に示している。図示されるように、移動電話３は、ＬＴＥベースバンドモジュール４１を含み、そのモジュールは、１つ又は複数のＬＴＥアンテナ４３を介してＥ−ＵＴＲＡＮ基地局５−２との間で信号を送受信するように動作可能なＬＴＥ  ＲＦ回路４２に結合される。図示されるように、移動電話３は、移動電話３の動作を制御するコントローラー４５も備え、コントローラー４５は、ＬＴＥベースバンドモジュール４１、並びにスピーカー４７、マイクロフォン４９、ディスプレイ５１、及びキーパッド５３に接続される。コントローラー４５はメモリ５５内に記憶されているソフトウェア命令に従って動作する。図示されるように、これらのソフトウェア命令には、中でも、オペレーティングシステム５７、報告モジュール５９、干渉判断モジュール６０、ハンドオーバーモジュール６１、及びセル選択／再選択モジュール６３が含まれる。コントローラー４５は、１つ又は複数のＢｌｕｅｔｏｏｔｈアンテナ６９を介してＢｌｕｅｔｏｏｔｈデバイス５−１との間で信号を送受信するように動作可能なＢｌｕｅｔｏｏｔｈＲＦ回路６７に結合されるＢｌｕｅｔｏｏｔｈベースバンドモジュール６５に、かつ１つ又は複数のＷｉ−Ｆｉアンテナ７５を介してＷｉ−Ｆｉ基地局５−３との間で信号を送受信するように動作可能なＷｉ−Ｆｉ  ＲＦ回路７３に結合されるＷｉ−Ｆｉベースバンドモジュール７１にも結合される。
【００３６】
一実施形態では、干渉判断モジュール６０は、移動電話３がＬＴＥアンテナ４３及びＬＴＥ  ＲＦ回路４２を介してＬＴＥベースバンドモジュール４１に現在登録されているＬＴＥ基地局５−２から受信された信号に関する測定を行い、ＢｌｕｅｔｏｏｔｈＲＦ回路６７及びＢｌｕｅｔｏｏｔｈアンテナ６９を介してＢｌｕｅｔｏｏｔｈベースバンドモジュール６５から送信された信号、又はＷｉ−Ｆｉ  ＲＦ回路７３及びＷｉ−Ｆｉアンテナ７５を介してＷｉ−Ｆｉベースバンドモジュール７１から送信された信号からの継続中の干渉があるか否かを判断するように動作可能である。報告モジュール５９は、特定の事象の存在をサービング基地局５に報告するように動作可能である。ハンドオーバーモジュール６１は、セル間の移動電話３のハンドオーバーを制御するように動作可能であり、セル選択／再選択モジュール６３はセル選択／再選択を制御するように動作可能である。
【００３７】
干渉の判断
上記で言及されたように、干渉判断モジュール６０は、移動電話３がＬＴＥアンテナ４３及びＬＴＥ  ＲＦ回路４２を介してＬＴＥベースバンドモジュール４１に現在登録されているＬＴＥ基地局５−２から受信された信号に関する測定を行い、他のアンテナ６９、７５を介して送信された信号からの継続中の干渉があるか否かを判断するように動作可能である。干渉は、例えば、任意の既知の方法で信号対雑音比（ＳＮＲ）を測定する、良好ビット対不良ビット比を測定する、又は任意の他の方法などの種々の方法において測定することができる。存在する干渉の測定値をしきい値と比較して、そのような干渉があることを示すためにＬＴＥ基地局５−２に信号が送信されるのを正当化するのに十分であるか否かを確認する。干渉のレベルが小さい場合には、そのような表示信号が送信される必要がないことは理解されよう。
【００３８】
それとは別に、又はそれに加えて、移動通信デバイス３は、干渉が継続中でない場合であっても、サービング周波数上で干渉の可能性があると考えるときに、又は継続中の干渉があるが、サービング周波数上ではない場合に、又は干渉が継続中でない場合であっても、非サービング周波数上で干渉の可能性がある場合に、予防的にネットワークに表示信号を送信することができる。これらの場合に、干渉判断モジュール６０は、Ｂｌｕｅｔｏｏｔｈ無線技術又はＷｉ−Ｆｉ無線技術の一方又は他方から予想される送信から、ＬＴＥ基地局と通信するために用いられるＬＴＥ周波数と比べて、関連する周波数を解析することによって、又は以前の干渉事象とその時点で使用中であった周波数の知識から、そのような送信が開始するときに干渉の可能性が高いと判断することができる。干渉判断モジュール６０は、干渉の可能性があると判断する場合には、ＬＴＥ無線技術を介してＬＴＥ基地局に干渉表示信号を送信することができる。したがって、干渉表示信号を受信すると、ＬＴＥ基地局は、移動通信デバイスにおいて継続中の共存干渉があるか、又は共存干渉が生じる可能性があることがわかり、その際、干渉軽減モジュール３２は、必要に応じてそのような干渉を回避又は軽減しようと試みるために、自らが選択する何らかの措置を講じることができる。
【００３９】
干渉表示信号
干渉判断モジュール６０が、Ｂｌｕｅｔｏｏｔｈ送信機又はＷｉ−Ｆｉ送信機からの送信とＬＴＥ受信機による受信との間に継続中の干渉があるか、又は干渉が生じる可能性があると判断するとき、干渉表示信号が送信される。ＬＴＥ基地局によってこの信号が受信されると、ＬＴＥ基地局は干渉を軽減しようと試みる。しかしながら、ＬＴＥ基地局は、その措置が成功したか否か（又は十分に成功したか否か）、又は軽減措置がもはや必要でない時点を判断するすべがない。
【００４０】
それゆえ、一実施形態では、移動通信デバイス３はタイマー７７を設けられ、そのタイマーは、所定の期間、例えば、約１００ｍｓから最大で数秒までの期間を刻時するように設定される。タイマーを用いて、干渉表示信号を規制する。例えば、一実施態様では、タイマーを用いて一定の期間が与えられ、干渉判断デバイスが、干渉があるか、又は干渉の可能性が高いと判断する場合には、タイマー期間が終了するときに、移動電話によってＬＴＥ基地局に干渉表示信号が送信される。したがって、タイマーが満了した時点で、干渉が継続中であるか、又は干渉が生じる可能性があると判断される場合には、干渉表示信号が送信される。干渉判断モジュール６０が、干渉がないか、又は干渉が生じる可能性が低いと判断する場合には、タイマー期間が満了するたびに定期的に、又は一度だけ、無干渉表示信号を送信することができる。干渉表示信号、無干渉信号のいずれにしても、表示信号を送信することによって、タイマーが設定される。
【００４１】
当然、無干渉表示信号が定期的に送信される場合には、実効的には、タイマー期間が満了するたびに、干渉表示信号又は無干渉表示信号が送信される。この場合、満了すると直ちに、タイマーをリセットすることができ、表示信号のトリガーが送信される必要はない。これが図４に示されており、高い干渉の期間８０が示されており、低い干渉の期間８２によって分離される。表示信号８４のうちの一方又は他方が、期間が終了するたびに送信される。これは、干渉があるか否かに関して、ＬＴＥ基地局に定期的に確実な情報を与えるが、信号トラフィックを高め、例えば、タイマー期間の途中で干渉レベルに変化が生じた場合には、そのタイマー期間の終了まで、ＬＴＥ基地局が、その干渉レベルの変化を通知されないことも意味する。
【００４２】
それゆえ、図５に示されるような別の実施態様では、干渉レベルが変化し、かつタイマー期間が満了しない限り、表示信号８４は送信されない。したがって、干渉表示信号は一度しか送信されず、その後、タイマー期間が満了すると、干渉レベルが低いと判断されるまで更なる表示信号は送信されず、その際、無干渉表示信号が送信され、再びタイマーが設定される。この実施態様では、表示メッセージの数は制限されるが、干渉レベルの変化に直ちに反応する。
【００４３】
図６に示されるように、別のオプションは、タイマー期間が満了し、干渉判断モジュールが、干渉がある（又は干渉の可能性が高い）と判断するたびに干渉表示信号８４を送信するが、無干渉表示信号を一度だけ送信することである。その後、タイマー期間が満了した後に、干渉表示信号が送信され、タイマーが設定される。
【００４４】
図７に示されるような、更なるオプションは、無干渉表示信号を全く送信しないことである。この場合、干渉判断モジュールが、干渉がある（又は干渉の可能性が高い）と判断する場合には、タイマー期間が満了するたびに、干渉表示信号が送信される。干渉判断モジュールが、干渉がない（又は干渉の可能性が低い）と判断する場合には、信号は送信されない。ＬＴＥ基地局が、干渉表示信号が受信されたときに設定される自らのタイマーを作動させる場合には、干渉表示信号が受信されることなく、そのタイマーが満了することが、移動電話が十分であると見なすしきい値未満まで干渉レベルが低減されたことを、ＬＴＥ基地局に示すことになる。
【００４５】
タイマー期間は、移動電話とＬＴＥ基地局との間のシグナリングによって半静的に構成できることに留意されたい。その期間の持続時間は、移動電話によって選択され、基地局に知らせることができるか（これは、移動電話の方が干渉の可能性の高い期間について正確に知っているので、好ましい場合がある）、又はその持続時間は、ＬＴＥ基地局によって選択され、移動電話に知らせることができるか（これにより、ＬＴＥ基地局は、移動電話が表示を生成することができる最大頻度を制御できるようになる）、又はその持続時間は、ＬＴＥ基地局によって規定された１組の値又は範囲から移動電話が選択することができる（上記の利点を組み合わせる）。タイマー持続時間は、一定の範囲及びステップサイズを用いてシグナリングすることができ、例えば、０が１００ｍｓを表し、１が２００ｍｓを表す等であるか、又は所定の１組の取り得る値へのインデックスとしてシグナリングすることができる。後者の場合、１組の、例えば、８個の値で十分なはずであり、３ビットでシグナリングすることができるので、より効率的にシグナリングできるようになる。所定の１組の値が用いられる場合、更なる可能性は、移動電話報告間隔のために既に用いられている１組の値を再利用することであり、その間隔は基地局によって既に規定されている測定報告間隔に対応することができる。
【００４６】
図８には、異なる実施形態が、タイマー７７を用いることなく如何に動作できるかを示す。この場合、干渉レベルが変化するたびに、表示信号８４が送信される。したがって、図示されるように、干渉レベルが高レベル８０に移行するとき、干渉表示信号８４が送信され、干渉レベルが低レベル８２に移行するとき、無干渉表示信号８４が送信される。したがって、干渉判断モジュール６０が、干渉がないか、又は干渉の可能性が低いと判断すると直ちに無干渉信号が送信される。
【００４７】
更なる実施形態では、干渉判断モジュール６０の結果が、ハンドオーバーモジュール６１及び／又はセル選択／再選択モジュール６３によって用いられ、それにより、その干渉判断に基づいて、干渉を回避することを試みるように、移動電話３が、セル間若しくは周波数間ハンドオーバーに影響を及ぼすことができるようになるか、又はおそらく通信損失後にセルを選択若しくは再選択できるようになる。一般的に、移動通信デバイスは、アイドル時の測定、及び所定のセル選択判定基準に基づいて、適切なセルを選択することになる。通常、２つの異なるセル選択手順のうちの１つが用いられる。第１のセル選択プロセスでは、どのＲＦチャネルがＥ−ＵＴＲＡ搬送波であるかを前もって知る必要はない。ＵＥはその能力に応じてＥ−ＵＴＲＡ帯内の全てのＲＦチャネルを単に走査し、各搬送波周波数上で、最も強い信号を有するセルを探索する。適切なセル（すなわち、そこを通ってＵＥが接続するのを許されるセル）が見つけられると、そのセルが選択される。第２のセル選択プロセスは、搬送波周波数に関する記憶された情報を必要とし、オプションで、以前に受信された測定制御情報要素から、又は以前に検出されたセルからのセルパラメーターについての情報も必要とする。ＵＥは適切なセルを見つけると、そのセルを選択する。適切なセルが見つけられない場合には、ＵＥが最初に起動されたときにセルを選択する初期セル選択手順が実施される。ＵＥは、セル選択プロセスにおいてシステムによって与えられる場合がある、異なる周波数又は異なる無線アクセス技術（ＲＡＴ）に関する優先順位を使用しないことに留意することができる。
【００４８】
しかしながら、この更なる実施形態では、移動電話３は、上記の第２のセル選択プロセスを用いるときに、（高いレベルの）干渉の影響を受けやすいと判断された任意のセル及び／又は周波数を、ハンドオーバー又は（再）選択の検討対象から除外することができる。この場合、第２のセル選択プロセスは、搬送波周波数に関する記憶された情報を含み、オプションで、以前に受信された測定制御情報要素から、又は以前に検出されたセルから、又は特定のセル（基地局）の周波数に関して送信された干渉表示信号（反応トリガー）からのセルパラメーターについての情報も含むことになる。言い換えると、ＵＥは、デバイス内干渉に起因してＵＥが干渉表示信号（反応トリガー）を送信したハンドオーバープロセス又はセル選択／再選択プロセス内に周波数を含まない。
【００４９】
或る周波数がセル選択／再選択から除外される場合には、それは、その周波数上の全てのセルがセル選択／再選択用として考慮されるべきでないことを暗示することに留意されたい。一方、セル選択／再選択のための取り得るセルから１つのセルのみが除外される場合には、ＵＥは、同じ周波数上の別のセルを選択／再選択することを依然として許されることになる。これは、ターゲットセル信号がソースセルに比べて十分な強度を有するが、ＵＥが干渉を宣言する同じ周波数上に偶然存在する場合に役に立つであろう。この場合、ターゲットセルは、少ないＨＡＲＱ再送を要求し、より良好なサービスを提供する。別の潜在的用途は、オペレーターが１つの周波数しか有しない場合に、セルを除外することが無線リンク障害後に利用可能な唯一のオプションであるときであろう。さらに、移動電話は、干渉表示信号がどのくらい前に送信されたかを考慮することができる。タイマー７７又は異なるタイマーとすることができるタイマーによって期間が刻時されるときに、干渉表示信号が所定の期間より前に送信された場合には、その送信は無視されるのに対して、その期間内に送信された場合には、この情報を用いて、セル及び／又は周波数を検討対象から除外することができる。
【００５０】
或るセルのＵＥが別のセル又はＲＡＴにハンドオーバーされる必要があるとき、又は或るセルとの接続が再確立（無線リソース制御（ＲＲＣ）再確立）される必要があるように呼が切断された場合には、タイマー７７が作動している間に、ハンドオーバー又はＲＲＣ再確立がトリガーされる場合がある。これが発生し、新たなターゲットセル（ハンドオーバー又はＲＲＣ再確立対象）が別の周波数上にある場合には、新たな周波数の場合、当然、干渉条件も十分に異なる場合があるので、タイマーが停止され、新たなターゲットセル（周波数）に基づいて、干渉のための判定基準が再評価される。依然として干渉レベルが高いことがわかった場合には、干渉表示信号が送信され、タイマーがリセットされる。タイマーが作動中に、ハンドオーバー又はＲＲＣ再確立のためのトリガーが発生するが、ターゲットセルが同じ周波数上にある場合には、タイマーが停止され、干渉のための判定基準が再評価されるか（周波数が異なる場合と同様）、又はタイマーを作動したままにすることができ、タイマーが満了するときに、ターゲットセルからの信号に基づく干渉レベルに基づいて表示信号が送信される。したがって、ＲＲＣ再確立手順が開始されるとき、セル選択プロセスが実行され、それにより、干渉表示信号（反応トリガー）が送信され、タイマーがまだ満了していない場合には、干渉表示信号（反応トリガー）に含まれる周波数がセル選択プロセスから除外されるようになる。干渉表示信号（反応トリガー）がセル（基地局）に送信されるとき、オプションで、タイマーがリセットされる。
【００５１】
変更形態及び代替形態
上記で詳細な実施形態が説明された。当業者であれば理解するように、上記の実施形態に対し、その実施形態において具現化される本発明から依然として利益を受けながら、複数の変更及び代替を行うことができる。
【００５２】
上記の実施形態では、移動電話ベースの電気通信システムが説明された。当業者であれば理解するように、本出願において記載される、干渉判断技法、シグナリング技法、及びハンドオーバー技法を他の通信システムに用いることができる。他の通信ノード又は通信デバイスは、例えば、携帯情報端末、ラップトップコンピューター、ウェブブラウザー等のようなユーザーデバイスを含むことができる。
【００５３】
上記の実施形態では、複数のソフトウェアモジュールが説明された。当業者であれば理解するように、それらのソフトウェアモジュールは、コンパイルされた形式でもコンパイルされていない形式でも提供することができ、コンピューターネットワークを介した信号として又は記録媒体上で、基地局又は移動電話に供給することができる。さらに、このソフトウェアの一部又は全てによって実行される機能は、１つ又は複数の専用ハードウェア回路を用いて実行することができる。しかしながら、ソフトウェアモジュールの使用によって、基地局５及び移動電話３の機能を更新するために当該基地局及び当該移動電話を更新するのが容易になるため、ソフトウェアモジュールの使用が好ましい。
【００５４】
様々な他の変形形態が当業者には明白であり、本明細書では更に詳細には説明しない。
【図１】
0005741873.tif 000002
【図２】
0005741873.tif 000003
【図３】
0005741873.tif 000004
【図４】
0005741873.tif 000005
【図５】
0005741873.tif 000006
【図６】
0005741873.tif 000007
【図７】
0005741873.tif 000008
【図８】
0005741873.tif 000009